(57)【特許請求の範囲】
【請求項１】
打設されるコンクリートとともに埋め込まれる打ち込み型枠材を設置し、
該打ち込み型枠材によって囲われたコンクリート打設箇所にコンクリートを打設して硬化養生させるコンクリート構造物の構築工法であって、
前記打ち込み型枠材の上端におけるコンクリート打設面側に、予め弾性を有するシール材を長手方向へわたって取り付けておくことを特徴とするコンクリート構造物の構築工法。
【請求項２】
前記シール材の上部に、耐候性に優れた保護部材を予め取り付けることを特徴とする請求項１記載のコンクリート構造物の構築工法。
【請求項３】
打設されるコンクリートとともに埋め込まれる打ち込み型枠材であって、
上端におけるコンクリート打設面側に、長手方向へわたって弾性を有するシール材が取り付けられていることを特徴とする打ち込み型枠材。
【請求項４】
前記シール材の上部に、耐候性に優れた保護部材が設けられていることを特徴とする請求項３記載の打ち込み型枠材。
【発明の詳細な説明】
【０００１】
【発明の属する技術分野】
本発明は、構造物の屋上に構築されるパラペット、塔屋外周壁及び機械基礎等のコンクリート構造物の構築工法及び打ち込み型枠材に関するものである。
【０００２】
【従来の技術】
従来より、ビル建築物の構築の際に、型枠材として合板からなる型枠板が用いられているが、近年、南洋木材の資源保護や型枠工事の省力化等の目的のために、合板型枠板に代えて合成樹脂製、金属製、セメントモルタル製の型枠板によってコンクリート躯体の構築が行われつつある。
ところで、建築物の屋上のパラペットや機械基礎等は、その側面に水切り、防水等の目的のために複雑な形状の顎部を設ける必要があるため、このような箇所には、押し出し成形によって製造されたセメントモルタル製の取り外し不要の打ち込み型枠板が用いられている。即ち、この打ち込み型枠板は、構造物の側面部分に配設されて、打設されたコンクリートとともに構造物の一部として用いられるものである。
【０００３】
【発明が解決しようとする課題】
ところで、上記のように打ち込み型枠板を配設してコンクリートを打設すると、このコンクリートが硬化する迄の経時により上面部分にブリージング現象が起こり、硬化後の天端部分のコンクリートの乾燥収縮が大きくなる。よって天端部分にて打ち込み型枠板と硬化したコンクリートとの間に隙間が生じてしまい、この隙間から雨水が浸入すると、この雨水の建築物内への漏水、構造物内の鉄筋の腐食等を引き起こす恐れがある。この隙間には、シリコン等のコーキング材を充填して止水を行わなければならず、その止水作業に多大な手間及び費用を要するという問題があった。
【０００４】
この発明は、上記事情に鑑みてなされたもので、内部への漏水を確実に防止することができるコンクリート構造物の構築工法及び打ち込み型枠材を提供することを目的としている。
【０００５】
【課題を解決するための手段】
上記目的を達成するために、請求項１記載のコンクリート構造物の構築工法は、打設されるコンクリートとともに埋め込まれる打ち込み型枠材を設置し、該打ち込み型枠材によって囲われたコンクリート打設箇所にコンクリートを打設して硬化養生させるコンクリート構造物の構築工法であって、前記打ち込み型枠材の上端におけるコンクリート打設面側に、予め弾性を有するシール材を長手方向へわたって取り付けておくことを特徴としている。
請求項２記載のコンクリート構造物の構築工法は、請求項１記載のコンクリート構造物の構築工法において、前記シール材の上部に、耐候性に優れた保護部材を予め取り付けることを特徴としている。
【０００６】
請求項３記載の打ち込み型枠材は、打設されるコンクリートとともに埋め込まれる打ち込み型枠材であって、上端におけるコンクリート打設面側に、長手方向へわたって弾性を有するシール材が取り付けられていることを特徴としている。
請求項４記載の打ち込み型枠材は、請求項３記載の打ち込み型枠材において、前記シール材の上部に、耐候性に優れた保護部材が設けられていることを特徴としている。
【０００７】
【発明の実施の形態】
以下、本発明のコンクリート構造物の構築工法及び打ち込み型枠材の実施の形態を図によって説明する。
図１において、符号１は、建築物の屋上に構築されたパラペット（コンクリート構造物）である。このパラペット１は、その内側面側が打ち込み型枠材２によって構成されており、この打ち込み型枠材２の一側面からなるコンクリート打設面側にコンクリートＣが打設されて、このコンクリートＣと打ち込み型枠材２とが一体化されている。また、このパラペット１には、その内部に補強筋４が配設されている。
打ち込み型枠材２は、下部型枠部材５と顎型枠部材６とを連結型枠部材７によって連結してなるもので、これら下部型枠部材５、連結型枠部材７、顎型枠部材６がそれぞれＨ型連結部材８によって連結されている。
これら下部型枠部材５、顎型枠部材６、連結型枠部材７は、それぞれ押出成形によって形成された窯業材系の無機質押出成形板から形成されている。
この無機質押出成形板は、例えば、セメント、骨材、硅砂、補強繊維、流動化剤、水等を所定の割合にて配合させて押出機によって押し出し成形した後、高圧蒸気養生（オートクレーブ養生）を行って強度発現させたものである。
【０００８】
打ち込み型枠材２を構成する顎型枠部材６には、顎部１１が形成されており、この顎部１１の下面側には、水切り部１２及びこの水切り部１２よりも内方に形成された板材嵌合溝（嵌合溝）１３が設けられ、板材嵌合溝１３には、保護壁１４が嵌め込まれて設置されている。
また、この顎型枠部材６の上端における内面側には、長手方向にわたって、図２にも示すように、弾性を有するシール材２１が設けられており、さらに、このシール材２１の上部側には、耐候性に優れた材料（耐食性に優れた金属板、エチレンプロピレンディエンターポリマー（ＥＰＤＭ）等の樹脂板等）から形成された保護部材２２が設けられている。
ここで、シール材２１としては、粘着性、付着性のある、例えば、ブチルゴム、クロロプレンゴム、シリコンゴム等が用いられる。
なお、図１中符号２３はアスファルト防水層、符号２４は断熱材、符号２５はクッション材、符号２６は保護コンクリートである。
【０００９】
次に、上記打ち込み型枠材２を用いたパラペット１の構築作業を図３によって説明する。
（１）まず、建築物の屋上におけるパラペット１の構築箇所に補強用鉄筋４を配設する。
（２）次に、この補強用鉄筋４の外側に平滑面用の型枠板３１を配設するとともに、内側に打ち込み型枠材２を配設し、これら型枠板３１と打ち込み型枠板２とをセパレータ金物３２を含む連結部材３３によって連結して位置決めする。
（３）この状態において、これら型枠板２１と打ち込み型枠板２とによって囲われた部分にコンクリートＣを打設する。
このようにすると、この流し込んだコンクリートＣが型枠板３１と打ち込み型枠材２との間に下方から順に充填され、さらに、打ち込み型枠材２の上端部分へ溢れだし、この上端部分にもコンクリートＣが充填され、このコンクリートＣを硬化養生させ、連結部材３３を外して型枠板３１を除去することにより、内面側が打ち込み型枠材２からなるパラペット１が構築される。
【００１０】
（４）そして、打設したコンクリートＣの硬化養生後に、屋上の上面にアスファルト防水層２３を配設し、さらに、断熱材２４、クッション材２５及び保護コンクリート２６を配設し、アスファルト防水層２３の端部を覆うように、板材嵌合溝１３へ保護壁１４を嵌合させて取り付ける。
上記の（１）〜（４）の作業を行うことにより、極めて容易に内面側が複雑な形状に形成されたパラペット１を構築することができる。
【００１１】
そして、この打ち込み型枠材２には、その顎型枠部材６の上端における内面側に予めシール材２１を取り付けたものであるので、打設したコンクリートＣが硬化養生した際に、このコンクリートＣの上部が乾燥収縮したとしても、打ち込み型枠材２とコンクリートＣとの間の隙間の発生が未然に防止され、雨水の浸入等の恐れのない、極めて良好な状態のパラペット１を構築することができる。
また、このシール材２１の上部に耐候性を有する保護部材２２が設けられているので、比較的耐候性に劣るシール材２１の天候による影響（風雨、太陽光線等による影響）を大幅に低減させることができ、これにより、このシール材２１によるシール状態を長期間維持させることができる。
しかも、予め打ち込み型枠材２にシール材２１を取り付けておくという極めて簡略的な構造であるので、シール構造を得るためのコストアップを最小限に抑えることができ、極めて経済的である。
なお、上記の例では、打ち込み型枠材２を用いて構築するコンクリート構造物として、屋上に構築されるパラペット１を例にとって説明したが、この打ち込み型枠材２を用いて構築するコンクリート構造物としては、パラペット１に限らず、例えば、屋上に設置される機械が据え付けられる機械基礎等にも適応可能であるのは勿論である。
【００１２】
【発明の効果】
以上、説明したように、本発明のコンクリート構造物の構築工法及び打ち込み型枠材によれば下記の効果を得ることができる。
請求項１記載のコンクリート構造物の構築工法によれば、打設したコンクリートが硬化養生した際に、このコンクリートの上部が乾燥収縮したとしても、この打ち込み型枠材の上端におけるコンクリート打設面側に長手方向へわたって弾性を有するシール材を予め取り付けておくので、打ち込み型枠材とコンクリートとの間の隙間がシール材によって確実にシールされ、雨水の浸入を確実に防止することができる。
したがって、コンクリートの硬化養生後に、打ち込み型枠材とコンクリートとの間に形成された隙間へシール材を充填する場合と比較して、そのシール作業にかかる労力を大幅に低減させることができ、これにより、工期短縮を図ることができる。
請求項２記載のコンクリート構造物の構築工法によれば、シール材の上部に耐候性に優れた保護部材を取り付けておくので、比較的耐候性に弱いシール材を風雨、太陽光線等から保護して長寿命化を図ることができ、長期にわたる良好なシール構造を維持させることができる。
【００１３】
請求項３記載の打ち込み型枠材によれば、打設したコンクリートが硬化養生した際に、このコンクリートの上部が乾燥収縮したとしても、打ち込み型枠材の上端におけるコンクリート打設面側に長手方向へわたって弾性を有するシール材が取り付けられているので、打ち込み型枠材とコンクリートとの間の隙間がシール材によって確実にシールされ、雨水の浸入を確実に防止することができる。
したがって、コンクリートの硬化養生後に、打ち込み型枠材とコンクリートとの間に形成された隙間へシール材を充填する場合と比較して、そのシール作業にかかる労力を大幅に低減させることができ、これにより、工期短縮を図ることができる。
しかも、予め打ち込み型枠材にシール材を取り付けた極めて簡略的な構造であるので、シール構造を得るためのコストアップを最小限に抑えることができ、極めて経済的である。
請求項４記載の打ち込み型枠材によれば、シール材の上部に耐候性に優れた保護部材が取り付けられているので、比較的耐候性に弱いシール材を風雨、太陽光線等から保護して長寿命化を図ることができ、長期にわたる良好なシール構造を維持させることができる。
【図面の簡単な説明】
【図１】  本発明の実施の形態のコンクリート構造物の構築工法及び打ち込み型枠材の構成及び構造を説明するパラペットの断面図である。
【図２】  本発明の実施の形態のコンクリート構造物の構築工法及び打ち込み型枠材の構成及び構造を説明するパラペットの一部の断面図である。
【図３】  本発明の実施の形態のコンクリート構造物の構築工法を説明する構築途中のパラペットの断面図である。
【符号の説明】
１  パラペット（コンクリート構造物）
２  打ち込み型枠材
２１  シール材
２２  保護部材
【図１】
0003650791.tif 000002
【図２】
0003650791.tif 000003
【図３】
0003650791.tif 000004